(57)【特許請求の範囲】
【請求項１】
アスベスト材の上に鉄板、木板、及び合成樹脂板のいずれか１又は２以上からなるシート材を重ね、これらをねじ、釘又はステープラーからなる仮止め手段で支持部材に固定する際に発生する粉塵の大気飛散を防止する方法であって、
前記仮止め手段の周りの一部を、後側に設けられた接続口を介して真空掃除機に接続された透明プラスチックからなる部分切欠き透明カバーで覆い、前記仮止め手段の近傍に風速８〜３０ｍ／秒の気流を発生させて、前記仮止め手段の施工時に発生する粉塵を吸引し、
しかも、前記部分切欠き透明カバーは、横幅が１５〜３０ｃｍ、長さが２０〜４０ｃｍであり、かつ底部、前部及び前上部が開放となっていることを特徴とするアスベストを含む粉塵の大気飛散防止方法。
【請求項２】
請求項１記載のアスベストを含む粉塵の大気飛散防止方法において、前記部分切欠き透明カバーの前記接続口に、前記真空掃除機に接続されるホースの先端部が接続され、該ホースの中間位置には重力若しくはフィルター又はこれらの双方によって、前記粉塵中の粗粒物を回収するごみ回収手段が設けられていることを特徴とするアスベストを含む粉塵の大気飛散防止方法。
【発明の詳細な説明】
【技術分野】
【０００１】
本発明は、アスベスト材の上に鉄板、木板、及び合成樹脂板のいずれか１又は２以上からなるシート材を重ね、これらをねじ、釘又はステープラーからなる仮止め手段で支持部材に固定する際に発生するアスベストを含む粉塵の大気飛散防止方法に関する。
【背景技術】
【０００２】
近年アスベストの健康被害が問題となっており、アスベストを使用した建築物や構造物の解体を行っている。この工事に当たって、アスベスト材の上に例えば、鉄板等を釘で止めることがあり、実験によれば、アスベスト材の上に釘を打った場合、周囲の空気を５Ｌ／分で５分間吸引させると、アスベストの微繊維が３０００〜１４０００本程度捕集されている。
このようなアスベストの発塵に対しては、例えば、押さえ部材間に張設したプラスチックシートを接着剤を使用して貼り付け、封じ込める技術が特許文献１に記載されている。
【０００３】
【特許文献１】登録実用新案第３１２０８７４号公報
【発明の開示】
【発明が解決しようとする課題】
【０００４】
しかしながら、アスベスト材の面の広さ分のプラスチックシートを用意する必要があり、
更にそのようなプラスチックシートを使用しても、その上から薄鉄板等を釘付けする場合には、アスベスト材を貫通して釘止めされるので、結果として、量は減ったとしてもかなりの量のアスベスト粉塵が発生する。また、アスベスト材の上にプラスチックシートをねじ止めする場合においては、アスベスト材に孔を開ける必要があるので、多少のアスベスト粉塵が発生することが確認されている。
【０００５】
本発明はかかる事情に鑑みてなされたもので、アスベスト材に鉄板、木板、及び合成樹脂板のいずれか１又は２以上からなるシート材を重ね、これらをねじ、釘又はステープラーからなる仮止め手段で支持部材に固定する際に発生するアスベストを含む粉塵の大気飛散を防止する方法を提供することを目的とする。
【課題を解決するための手段】
【０００６】
前記目的に沿う第１の発明に係るアスベストを含む粉塵の大気飛散防止方法は、アスベスト材の上に鉄板、木板、及び合成樹脂板のいずれか１又は２以上からなるシート材を重ね、これらをねじ、釘又はステープラーからなる仮止め手段で支持部材に固定する際に発生する粉塵の大気飛散を防止する方法であって、
前記仮止め手段の周りの一部を、後側に設けられた接続口を介して真空掃除機に接続された透明プラスチックからなる部分切欠き透明カバーで覆い、前記仮止め手段の近傍に風速８〜３０ｍ／秒（好ましくは１０〜２０ｍ／秒）の気流を発生させて、前記仮止め手段の施工時に発生する粉塵を吸引し、
しかも、前記部分切欠き透明カバーは、横幅が１５〜３０ｃｍ、長さが２０〜４０ｃｍであり、かつ底部、前部及び前上部が開放となっている。
【０００７】
【０００８】
第２の発明に係るアスベストを含む粉塵の大気飛散防止方法は、第１の発明に係るアスベストを含む粉塵の大気飛散防止方法において、前記部分切欠き透明カバーの前記接続口に、前記真空掃除機に接続されるホースの先端部が接続され、該ホースの中間位置には重力若しくはフィルター又はこれらの双方によって、前記粉塵中の粗粒物を回収するごみ回収手段が設けられている。
【発明の効果】
【０００９】
請求項１、２記載のアスベストを含む粉塵の大気飛散防止方法は、アスベスト材の上に鉄板、木板、及び合成樹脂板のいずれか１又は２以上からなるシート材を重ね、これらをねじ、釘又はステープラーからなる仮止め手段で支持部材に固定するに際し、仮止め手段の周りの一部を、真空掃除機に接続された部分切欠き透明カバーで覆い、仮止め手段の近傍に風速８〜３０ｍ／秒（好ましくは１０〜２０ｍ／秒）の気流を発生させて、仮止め手段の施工時に発生する粉塵を吸引しているので、仮止め手段の施工中にその周囲からアスベスト粉塵が発生することがない。
【００１０】
そして、請求項２記載のアスベストを含む粉塵の大気飛散防止方法においては、部分切欠き透明カバーの接続口に真空掃除機に接続されるホースの先端部が接続され、ホースの中間位置には重力若しくはフィルター又はこれらの双方によって、粉塵中の粗粒物を回収するごみ回収手段が設けられているので、大きな粉塵、屑、小石等を分離してごみ回収手段に収納することができる。
【発明を実施するための最良の形態】
【００１１】
続いて、添付した図面を参照しつつ、本発明を具体化した実施の形態につき説明し、本発明の理解に供する。
ここで、図１（Ａ）、（Ｂ）は本発明の一実施の形態に係るアスベストを含む粉塵の大気飛散防止方法の説明図である。
【００１２】
図１（Ａ）に本発明の一実施の形態に係るアスベストを含む粉塵の大気飛散防止方法を示すが、アスベスト材の一例である石綿シート１０の上にシート材の一例である鉄板１１を被せ、下に配置された木製支持部材（例えば、垂木、野地板）１２の上に、仮止め手段の一例である釘１３を打ち込んで固定している。そして、釘１３の周りを部分切欠き透明カバー１４で覆っている。この部分切欠き透明カバー１４は、透明プラスチック（例えば、ポリカーボネイト）によって構成され、横幅が例えば１５〜３０ｃｍ、長さが２０〜４０ｃｍ程度となっている。
【００１３】
この部分切欠き透明カバー１４は、図１（Ｂ）に示すように、前部１５及び前上部１６が開放となって、かつ底面周囲は同一平面状となって底部内側は開放となっている。そして、後部には真空ホース１８の接続口１７が設けられて、前側から後ろ側にかけて、徐々にその断面が小さくなり、接続口１７の内側に吸い込まれた空気が円滑に流れるようになっている。なお、前上部１６の開放部分はハンマー１７ａが十分動かせる広さを有している。
【００１４】
接続口１７には真空ホース１８の先部が接続され、この真空ホース１８の基部には、重力及びフィルターの双方によって、粉塵中の粗粒物（例えば、砂、小さい砂利、ゴミ、釘、ねじ）を回収するごみ回収手段１９が設けられている。このごみ回収手段１９は、開閉できる箱２０の中に、風速を遅くして異物（粗粒物）を重力によって分離する沈降室２１と、フィルター２２が設けられ、真空ホース１８で吸引された粗粒物を分離して、真空掃除機２３の負担を減らしている。
【００１５】
このごみ回収手段１９の排気口２４には、真空掃除機２３に接続される別の真空ホース２５が接続されている。真空掃除機２３は周知の構造となって、内部にゴミ回収用のバッグ２６と真空ポンプ２７が設けられていると共に、排気口にはフィルター２８が設けられ、アスベスト粉塵を外部に一切出さないようにしている。
【００１６】
従って、真空掃除機２３を作動させると、真空ホース２４、ゴミ回収手段１９及び真空ホース１８を介して、部分切欠き透明カバー１４の前側から気流が吸い込まれ、釘１３の周りに風速８〜３０ｍ／秒の接続口１７に向かう気流を発生させる。なお、風速が８ｍ／秒未満では粉塵の吸引力がなく、風速が３０ｍ／秒を超える場合真空掃除機２３の吸引能力を超えてしまう。
従って、部分切欠き透明カバー１４を、釘１３の頭部が前上側１６の開口から覗けるようにして被せ、釘１３の頭部をハンマー１７ａで叩くと、石綿シート１０からアスベスト粉塵が発生するが、部分切欠き透明カバー１４の高速気流に流されて、外部に排出されず、最終的にはその殆どが真空掃除機２３に吸引される。
【００１７】
前記実施の形態においては、具体的数字を用いて説明したが、本発明の要旨を変更しない範囲で数値を変更してもよい。
また、前記実施の形態では釘でアスベスト材を固定した例について説明したが、ねじやステープラーで止める場合も本発明は適用される。
部分切欠き透明カバーの形状は前記した実施の形態に限定されず、要は仮止め手段の周囲に高速の気流を発生すればよい。
シート材は、鉄板以外に、木板、又は合成樹脂板を使用することができ、これらを２以上組み合わせてもよい。
【図面の簡単な説明】
【００１８】
【図１】（Ａ）、（Ｂ）は本発明の一実施の形態に係るアスベストを含む粉塵の大気飛散防止方法の説明図である。
【符号の説明】
【００１９】
１０：石綿シート、１１：鉄板、１２：木製支持部材、１３：釘、１４：部分切欠き透明カバー、１５：前部、１６：前上部、１７：接続口、１７ａ：ハンマー、１８：真空ホース、１９：ゴミ回収手段、２０：箱、２１：沈降室、２２：フィルター、２３：真空掃除機、２４：排気口、２５：真空ホース、２６：バッグ、２７：真空ポンプ、２８：フィルター
【図１】
0005258256.tif 000002